(57)【要約】【課題】換気装置の外郭に接する帯電した塵埃を除電することによって、換気装置の外郭若しくは側壁に付着する塵埃を抑制し、消費電力の低減や騒音抑制及びお掃除性を向上させた換気装置を提供することを目的としている。【解決手段】換気装置本体１はファン２と、吸込口３と換気装置本体１の外郭で屋内に露出するルーバーＡ４と、換気装置本体１内に吸込まれる吸込空気５を本体より本体外へ排出するダクト７と、帯電した塵埃を中和する中和イオン１１が換気装置本体１内に吸い込まれる吸込空気５に向けて放出されるように天井１６とルーバーＡ４の間に配置したイオン発生部９と、吸込空気５に含有する塵埃の帯電量を測定する帯電量測定部１０と、イオン送風部１４と、放出される中和イオン１１の経路Ａ１２を変更するルーバーＢ１５から構成されることを特徴とする除電機能付換気装置であり、換気装置の外郭若しくは側壁に付着する塵埃を抑制することができる。【選択図】図１
2010236766.tif 000002
【特許請求の範囲】
【請求項１】
室内と室外との空気の入替えを行う換気装置であって、前記換気装置の外郭に接する空気に含有する帯電した塵埃の電荷を中和するイオンを発生するイオン発生部を具備したことを特徴とする除電機能付換気装置。
【請求項２】
換気装置の外郭にイオン発生部を備えたことを特徴とする請求項１に記載の除電機能付換気装置。
【請求項３】
換気装置の空気を吸込む吸込空気に向けてイオンが放出される位置にイオン発生部を具備したことを特徴とする請求項１または２いずれかに記載の除電機能付換気装置。
【請求項４】
イオン発生部を移動可能に構成したことを特徴とする請求項１から３いずれかに記載の除電機能付換気装置。
【請求項５】
換気装置の吸込空気量に応じて、イオン発生部から発生するイオン発生量を増加若しくは減少させるように構成したことを特徴とする請求項１から４に記載の除電機能付換気装置。
【請求項６】
イオン発生部は発生するイオンを換気装置の外郭に接する空気に送風するイオン送風部を具備したことを特徴とする請求項１から５いずれかに記載の除電機能付換気装置。
【請求項７】
換気装置の吸込空気量に応じて、イオン送風部より送風される送風量を増加若しくは減少させるように構成したことを特徴とする請求項１から６いずれかに記載の除電機能付換気装置。
【請求項８】
イオン発生部から発生するイオンの吹出方向を変更可能に構成したことを特徴とする請求項１から７いずれかに記載の除電機能付換気装置。
【請求項９】
イオン発生部から発生するイオンの吹出方向を常時変更するように構成したことを特徴とする請求項８に記載の除電機能付換気装置。
【請求項１０】
換気装置の吸込空気量に応じて、イオン発生部から発生するイオンの吹出方向を変更することを特徴とする請求項８または９いずれかに記載の除電機能付換気装置。
【請求項１１】
イオン発生部から換気装置の空気を吸込む吸込口までのイオン発生部から発生するイオンの経路を増加させるようにイオンの吹出方向を変更することを特徴とする請求項８から１０いずれかに記載の除電機能付換気装置。
【請求項１２】
換気装置のルーバーに接する空気の帯電量を測定する帯電量測定部を設けたことを特徴とする請求項１に記載の除電機能付換気装置。
【請求項１３】
帯電量測定部を複数設けたことを特徴とする請求項１または１２いずれかに記載の除電機能付換気装置。
【請求項１４】
帯電量測定部を移動可能に構成したことを特徴とする請求項１、１２または１３いずれかに記載の除電機能付換気装置。
【請求項１５】
帯電量測定部によって測定された換気装置の外郭に接する空気の帯電量に応じて、イオン発生部から発生するイオン発生量を増加若しくは減少させるように構成したことを特徴とする請求項１、１２から１４いずれかに記載の除電機能付換気装置。
【請求項１６】
帯電量測定部によって測定された換気装置の外郭に接する空気の帯電量に応じて、イオン送風部より送風される風量を増加若しくは減少させるように構成したことを特徴とする請求項１、６、１２から１４いずれかに記載の除電機能付換気装置。
【請求項１７】
帯電量測定部によってイオン発生部から放出されるイオン発生量の増減を測定して、イオン発生部の正常若しくは異常を検知する検知手段を備えたことを特徴とする請求項１、１２から１６いずれかに記載の除電機能付換気装置。
【請求項１８】
イオン発生部が異常になると、イオン発生部を停止するように構成したことを特徴とする請求項１７に記載の除電機能付換気装置。
【請求項１９】
換気装置の使用時間を積算する積算手段を備え、換気装置の積算時間が一定値以上になるとイオン発生部からイオンを発生若しくは停止させることを特徴とする請求項１から１１、１５、１７または１８いずれかに記載の除電機能付換気装置。
【発明の詳細な説明】
【技術分野】
【０００１】
本発明は、建築物の天井又は側壁に設置し、特に換気装置の外郭に接する空気に含有する塵埃の帯電量を中和する除電機能を備えた除電機能付換気装置に関する。なお、以下の文で、小型の換気装置を例にとって説明するが、工場や施設等で用いられる大型の換気システムも本発明の対象である。
【背景技術】
【０００２】
近年、建物の機密性が向上し、化学物質を含有する建材の使用やエアコンの普及により、空気の入れ替えを積極的に行わないことから、建物内の空気が汚染される傾向にあり、建築基準法が改正され常時換気可能な設備の設置が義務付けられ、換気装置が普及している（例えば、特許文献１参照）。
【特許文献１】特開２００６−３２２６１９号公報
【発明の開示】
【発明が解決しようとする課題】
【０００３】
換気装置が屋内の空気を屋外へ排出する際に、空気中に含有される帯電した塵埃が本体外郭の屋内に露出した部分（例えば、ルーバー）や換気装置の吸込口近傍の壁面に付着するため汚れてしまう。また屋内に露出した部分や吸込口近傍の壁面若しくは天井に付着した塵埃は、屋内から屋外に排出される空気の風路の障害になってしまい、一定の換気量を満足させるためには、換気装置の風量を増加させなければならず、多くの電気量が必要となり、さらに風量を増加させるため騒音が発生してしまう。しかし、換気装置の清掃は非常にわずらわしく、多くの時間が費やされるため、換気装置の外郭や壁面に付着する塵埃を減少させる除電機能付換気装置が望まれていた。
【０００４】
本発明は上述の課題を解決するもので、室内と室外との空気の入替えを行うために用いられる換気装置において、帯電した塵埃が換気装置の本体外郭や換気装置の吸込口近傍の壁面若しくは天井に、付着することを抑制することによってお掃除性を向上させて、また、帯電した塵埃が換気装置の屋内に露出した部分や換気装置の吸込口近傍の壁面若しくは天井への付着による屋内から屋外に排出される空気の風路の障害になることを抑制することによって、消費電力や騒音の低減を可能にする換気装置を提供することを目的としている。
【課題を解決するための手段】
【０００５】
本発明の除電機能付換気装置は上記の目的を達成するために、換気装置の外郭に接する空気に含有する帯電した塵埃の電荷を中和するイオンを発生するイオン発生部を具備したことを特徴としている。
【０００６】
この手段により、換気装置の外郭に接する空気に含有される帯電した塵埃を除電することによって、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【０００７】
また、本発明の除電機能付換気装置は上記の目的を達成するために、換気装置の外郭にイオン発生部を備えたことを特徴としている。
【０００８】
この手段により、換気装置の外郭に浮遊する帯電した塵埃の電荷に対して中和するイオンをイオン発生部から効果的に放出して除電させて、帯電した塵埃が換気装置の本体外郭に付着することを抑制し、お掃除性を向上させた換気装置を提供することができる。
【０００９】
また、本発明の除電機能付換気装置は上記の目的を達成するために、換気装置の空気を吸込む吸込空気に向けてイオンが放出されるようにイオン発生部を具備したことを特徴としている。
【００１０】
この手段により、換気装置の外郭に接する空気に含有される帯電した塵埃を除電することによって、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００１１】
また、本発明の除電機能付換気装置は上記の目的を達成するために、イオン発生部を移動可能に構成したことを特徴としている。
【００１２】
この手段により、換気装置の外郭に浮遊する帯電した塵埃の電荷に対して中和するイオンを効果的に放出して除電させて、帯電した塵埃が換気装置の本体外郭に付着することを抑制し、帯電した塵埃が換気装置の屋内に露出した部分や換気装置の吸込口近傍の壁面若しくは天井へ付着することにより屋内から屋外に排出される空気の風路の障害になることを抑制して、お掃除性の向上と消費電力や騒音の低減を可能にする換気装置を提供することができる。
【００１３】
また、本発明の除電機能付換気装置は、換気装置の吸込空気量に応じて、イオン発生部から発生するイオン発生量を増加若しくは減少させるように構成したことを特徴としている。
【００１４】
この手段により、吸込空気量の増減に応じて、帯電した塵埃を中和させるイオンの発生量を増減させて塵埃を除電することにより、吸込空気量の増減に連動して、イオン発生部からのイオンを発生させることができ、帯電した塵埃を含有する吸込空気量の増減変化とイオンの発生の応答性がよく、換気装置の外郭または換気装置の吸込口近傍の側壁若しくは天井への塵埃の付着を抑制することが可能な換気装置を提供することができる。
【００１５】
また、本発明の除電機能付換気装置は、イオン発生部に発生するイオンを換気装置の外郭に接する空気に送風するイオン送風部を具備したことを特徴としている。
【００１６】
この手段により、帯電した塵埃を含有する吸込空気に中和するイオンを送風することで、効率よく塵埃を除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００１７】
また、本発明の除電機能付換気装置は、換気装置の吸込空気量に応じて、イオン送風部より送風される送風量を増加若しくは減少させるように構成したことを特徴としている。
【００１８】
この手段により、吸込空気量の増減に応じて、帯電した塵埃を中和させるイオンの送風量を増減させて塵埃を除電することにより、吸込空気量の増減に連動して、イオン発生部からイオンを適切に送風することができ、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００１９】
また、本発明の除電機能付換気装置は、イオン発生部から発生するイオンの吹出方向を変更可能に構成したことを特徴としている。
【００２０】
この手段により、換気装置の外郭に接する空気に含有する帯電した塵埃に向けて中和するイオンの吹出方向を変更させてイオンを放出させることにより、帯電した塵埃を効果的に除電して、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００２１】
また、本発明の除電機能付換気装置は、イオン発生部から発生するイオンの吹出方向を常時変更するように構成することを特徴としている。
【００２２】
この手段により、換気装置の外郭に接する空気に含有する帯電した塵埃に向けて、中和するイオンの吹出し方向を常時変更させてイオンを供給し、帯電した塵埃へ広範囲に放出することにより、換気装置の形状や換気装置に吸込まれて屋外に排出される空気の風路によって、空気の流れが淀み帯電した塵埃が付着しやすい場所に対して、中和するイオンを効果的に放出させて除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００２３】
また、本発明の除電機能付換気装置は、換気装置の吸込空気量に応じて、イオン発生部から発生するイオンの吹出方向を変更することを特徴としている。
【００２４】
この手段により、換気装置の吸込空気量が増減に伴う換気装置本体に接する空気に含有する帯電した塵埃量の変化に応じて、イオンの吹出方向を変更することにより、帯電した塵埃との反応時間を適切に設けて、効率的に除電し、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００２５】
また、本発明の除電機能付換気装置は、イオン発生部から発生するイオンのイオン発生部から換気装置の吸込口までの経路を増加させるようにイオンの吹出方向を変更することを特徴としている。
【００２６】
この手段により、イオン発生部から発生するイオンのイオン発生部から換気装置の吸込口に至る経路を長くして、帯電した塵埃と中和イオンとの反応時間を適切に設けて除電し、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００２７】
また、本発明の除電機能付換気装置は上記の目的を達成するために、換気装置の外郭に接する空気の帯電量を測定する帯電量測定部を設けたことを特徴としている。
【００２８】
この手段により、換気装置の外郭に接する空気に含有される帯電した塵埃の帯電量を測定して、帯電した塵埃の電荷に対して中和するイオンをイオン発生部から的確に放出して除電し、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００２９】
また、本発明の除電機能付換気装置は上記の目的を達成するために、帯電量測定部を複数設けたことを特徴としている。
【００３０】
この手段により、換気装置の外郭に接する空気に含有される帯電した塵埃の帯電量を適切に測定することにより、帯電した塵埃の電荷に対して中和するイオンをイオン発生部から的確に放出して除電し、帯電した塵埃が換気装置の屋内に露出した部分や換気装置の吸込口近傍の壁面若しくは天井へ付着することにより屋内から屋外に排出される空気の風路の障害になることを抑制して、お掃除性の向上と消費電力や騒音の低減を可能にする換気装置を提供することができる。
【００３１】
また、本発明の除電機能付換気装置は上記の目的を達成するために、帯電量測定部を移動可能に構成したことを特徴としている。
【００３２】
この手段により、換気装置の外郭に接する空気に含有される帯電した塵埃の帯電量を的確に把握して、帯電した塵埃の電荷に対して中和するイオンをイオン発生部から放出して除電し、帯電した塵埃が換気装置の屋内に露出した部分や換気装置の吸込口近傍の壁面若しくは天井に付着して屋内から屋外に排出される空気の風路の障害になることを抑制して、お掃除性の向上と消費電力や騒音の低減を可能にする換気装置を提供することができる。
【００３３】
また、本発明の除電機能付換気装置は、換気装置の外郭に接する空気の帯電量に応じてイオン発生量を増加若しくは減少させるように構成したことを特徴としている。
【００３４】
この手段により、帯電した塵埃を含有する換気装置の外郭に接する空気の帯電量に応じて、帯電した塵埃を中和させるイオンの発生量を増減させて塵埃を除電することにより、換気装置の外郭に接する空気に含有される帯電した塵埃を除電することによって、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００３５】
また、本発明の除電機能付換気装置は、換気装置の外郭に接する空気の帯電量に応じて、イオン送風部より送風される風量を増加若しくは減少させるように構成したことを特徴としている。
【００３６】
この手段により、帯電した塵埃を含有する換気装置の外郭に接する空気の帯電量に応じて、中和するイオンを含有したイオンの送風量を増減させることで、効率よく塵埃を除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【００３７】
また、本発明の除電機能付換気装置は、イオン発生部から放出されるイオン発生量の増減を測定して、イオン発生部の正常若しくは異常を検知する検知手段を備えたことを特徴としている。
【００３８】
この手段により、イオン発生部の状態を把握し安全性を高めた換気装置を提供することができる。
【００３９】
また、本発明の除電機能付換気装置は、イオン発生部が異常になるとイオン発生部を停止するように構成したことを特徴としている。
【００４０】
この手段により、イオン発生部が異常になるとイオン発生部を停止させ、安全性を高めた換気装置を提供することができる。
【００４１】
また、本発明の除電機能付換気装置は、換気装置の使用時間を積算する積算手段を備え、換気装置の積算時間が一定値以上になるとイオン発生部からイオンを発生若しくは停止させることを特徴としている。
【００４２】
この手段により、常時イオン発生部から中和イオンを放出して除電することにより換気装置に接する空気に含有する帯電した塵埃が換気装置の外郭または換気装置の吸込口近傍の側壁への塵埃の付着するのを抑制するのではなく、定期的にイオン発生部より中和イオンを放出することにより、換気装置の外郭または換気装置の吸込口近傍の側壁への塵埃の付着を抑制することで、イオン発生部で消費される電力量を抑制することが可能な換気装置を提供することができる。
【発明の効果】
【００４３】
本発明によれば、換気装置の外郭に含有する帯電した塵埃の電荷を中和するイオンを発生するイオン発生部を具備し、帯電した塵埃を除電することによって、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減を可能にする換気装置を提供することができる。
【発明を実施するための最良の形態】
【００４４】
本発明の請求項１記載の除電機能付換気装置は、換気装置の外郭に接する空気に含有する帯電した塵埃の電荷を中和するイオンを発生するイオン発生部を具備し、換気装置の外郭に接する空気に含有される帯電した塵埃を除電することによって、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制する作用を有する。
【００４５】
本発明の請求項２記載の除電機能付換気装置は、換気装置の外郭にイオン発生部を備えたことを特徴とする除電機能付換気装置であり、換気装置の外郭に浮遊する帯電した塵埃の電荷に対して中和するイオンをイオン発生部から効果的に放出して除電させて、帯電した塵埃が換気装置の本体外郭に付着することを抑制し、お掃除性を向上させるという作用を有する。
【００４６】
本発明の請求項３記載の除電機能付換気装置は、換気装置の空気を吸込む吸込空気にイオンが放出されるようにイオン発生部を具備したことを特徴とする除電機能付換気装置であり、換気装置の外郭に接する空気に含有される帯電した塵埃を除電することによって、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減させる作用を有する。
【００４７】
本発明の請求項４記載の除電機能付換気装置は、イオン発生部を移動可能に構成したことを特徴とする除電機能付換気装置であり、換気装置の外郭に浮遊する帯電した塵埃の電荷に対して中和するイオンを効果的に放出して除電させて、帯電した塵埃が換気装置の本体外郭に付着することを抑制し、帯電した塵埃が換気装置の屋内に露出した部分や換気装置の吸込口近傍の壁面若しくは天井へ付着することにより屋内から屋外に排出される空気の風路の障害になることを抑制して、お掃除性の向上と消費電力や騒音の低減させる作用を有する。
【００４８】
本発明の請求項５記載の除電機能付換気装置は、換気装置の吸込空気の帯電量に応じて、イオン送風部より送風される風量を増加若しくは減少させるように構成したことを特徴とする除電機能付換気装置であり、帯電した塵埃を含有する吸込空気の帯電量に応じて、中和するイオンを含有したイオンの送風量を増減させることで、効率よく塵埃を除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００４９】
本発明の請求項６記載の除電機能付換気装置は、イオン発生部に発生するイオンを換気装置の外郭に接する空気に送風するイオン送風部を具備したことを特徴とする除電機能付換気装置であり、帯電した塵埃を含有する吸込空気に中和するイオンを送風することで、効率よく塵埃を除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００５０】
本発明の請求項７記載の除電機能付換気装置は、イオン発生部に発生するイオンを換気装置の外郭に接する空気に送風するイオン送風部を具備したことを特徴とする除電機能付換気装置であり、帯電した塵埃を含有する吸込空気に中和するイオンを送風することで、効率よく塵埃を除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００５１】
本発明の請求項８記載の除電機能付換気装置は、イオン発生部から発生するイオンの吹出方向を変更可能に構成したことを特徴とする除電機能付換気装置であり、換気装置の外郭に接する空気に含有する帯電した塵埃に向けて中和するイオンの吹出方向を変更させてイオンを放出させることにより、帯電した塵埃を効果的に除電して、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００５２】
本発明の請求項９記載の除電機能付換気装置は、イオン発生部から発生するイオンの吹出方向を常時変更するように構成することを特徴とする除電機能付換気装置であり、換気装置の外郭に接する空気に含有する帯電した塵埃に向けて、中和するイオンの吹出し方向を常時変更させてイオンを供給し、帯電した塵埃へ広範囲に放出することにより、換気装置の形状や換気装置に吸込まれて屋外に排出される空気の風路によって、空気の流れが淀み帯電した塵埃が付着しやすい場所に対して、中和するイオンを効果的に放出させて除電し、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００５３】
本発明の請求項１０記載の除電機能付換気装置は、換気装置の吸込空気量に応じて、イオン発生部から発生するイオンの吹出方向を変更することを特徴とする除電機能付換気装置であり、換気装置の吸込空気量が増加することに伴い、イオン発生部から吸込空気に含有する帯電した塵埃に対して放出されたイオンのイオン発生部から換気装置の吸込口に至る経路が、吸込空気量の増加前と比較して短くなることがなく、帯電した塵埃に対して効率的に中和するイオンを放出して除電し、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００５４】
本発明の請求項１１記載の除電機能付換気装置は、イオン発生部から発生するイオンのイオン発生部から換気装置の吸込口までの経路を増加させるようにイオンの吹出方向を変更することを特徴とする除電機能付換気装置であり、イオン発生部から発生するイオンのイオン発生部から換気装置の吸込口に至る経路を長くして、帯電した塵埃と中和イオンとを効果的に反応させて除電し、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減する作用を有する。
【００５５】
本発明の請求項１２記載の除電機能付換気装置は、換気装置の外郭に接する空気の帯電量を測定する帯電量測定部を設けたことを特徴とする除電機能付換気装置であり、換気装置の外郭に接する空気に含有される帯電した塵埃の帯電量を把握して、帯電した塵埃の電荷に対して中和するイオンをイオン発生部から的確に放出して除電し、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減させる作用を有する。
【００５６】
本発明の請求項１３記載の除電機能付換気装置は、帯電量測定部を複数設けたことを特徴とする除電機能付換気装置であり、換気装置の外郭に接する空気に含有される帯電した塵埃の帯電量を適切に測定し、帯電した塵埃の電化に対して中和するイオンをイオン発生部から効率よく放出して徐電し、塵埃が換気装置の屋内に露出した部分や換気装置の吸込口近傍の壁面若しくは天井へ付着することにより屋内から屋外に排出される空気の風路の障害になることを抑制して、お掃除性の向上と消費電力や騒音の低減させる作用を有する。
【００５７】
本発明の請求項１４記載の除電機能付換気装置は、帯電量測定部を移動可能に構成したことを特徴とする除電機能付換気装置であり、換気装置の外郭に接する空気に含有される帯電した塵埃の帯電量を的確に把握して、帯電した塵埃の電荷に対して中和するイオンをイオン発生部から放出して除電し、帯電した塵埃が換気装置の屋内に露出した部分や換気装置の吸込口近傍の壁面若しくは天井へ付着して屋内から屋外に排出される空気の風路の障害になることを抑制して、お掃除性の向上と消費電力や騒音の低減させる作用を有する。
【００５８】
本発明の請求項１５記載の除電機能付換気装置は、換気装置の外郭に接する空気の帯電量に応じてイオン発生量を増加若しくは減少させるように構成したことを特徴とする除電機能付換気装置であり、帯電した塵埃を含有する換気装置の外郭に接する空気の帯電量に応じて、帯電した塵埃を中和させるイオンの発生量を増減させて塵埃を除電することにより、換気装置の外郭に接する空気に含有される帯電した塵埃を除電することによって、帯電した塵埃が換気装置の本体外郭や換気装置の吸込口近傍の壁面若しくは天井に付着することを抑制し、また、帯電した塵埃が換気装置の屋内に露出した部分や換気装置の吸込口近傍の壁面若しくは天井への付着による屋内から屋外に排出される空気の風路の障害になることを抑制して、お掃除性の向上と消費電力や騒音の低減させる作用を有する。
【００５９】
本発明の請求項１６記載の除電機能付換気装置は、換気装置の外郭に接する空気の帯電量に応じてイオン送付部より送風される風量を増加若しくは減少させるように構成したことを特徴とする除電機能付換気装置であり、帯電した塵埃を中和させるイオンと接する吸込空気量の変化に伴って、換気装置の外郭に引き寄せられる帯電した塵埃の増減に対して、帯電した塵埃を注させる中和イオンを応答性よく供給して帯電した塵埃を除電することにより、換気装置の外郭または換気装置の吸込口近傍の側壁若しくは天井への塵埃の付着を抑制するという作用を有する。
【００６０】
本発明の請求項１７記載の除電機能付換気装置は、イオン発生部から放出されるイオン発生量の増減を測定して、イオン発生部の正常若しくは異常を検知する検知手段を備えたことを特徴とする除電機能付換気装置であり、イオン発生部の状態を把握し安全性を高める作用を有する。
【００６１】
本発明の請求項１８記載の除電機能付換気装置は、イオン発生部が異常になると、イオン発生部を停止するように構成したことを特徴とする除電機能付換気装置であり、イオン発生部が異常になるとイオン発生部を停止させ、安全性を高める作用を有する。
【００６２】
本発明の請求項１９記載の除電機能付換気装置は、換気装置の使用時間を積算する積算手段を備え、換気装置の積算時間が一定値以上になるとイオン発生部からイオンを発生若しくは停止させることを特徴とする除電機能付換気装置であり、常時イオン発生部から中和イオンを放出して除電することにより換気装置に接する空気に含有する帯電した塵埃が換気装置の外郭または換気装置の吸込口近傍の側壁への塵埃の付着するのを抑制するのではなく、定期的にイオン発生部より中和イオンを放出することにより、換気装置の外郭または換気装置の吸込口近傍の側壁への塵埃の付着を抑制することで、イオン発生部で消費される電力量を抑制する作用を有する。
【００６３】
以下、本発明の実施の形態について図面を参照しながら説明する。
【００６４】
（実施の形態１）
図１および２は本発明の実施の形態における除電機能付換気装置の構成を示す図である。図１は、本発明の除電機能付換気装置の１つの実施形態を示す概略構成図（側面図）であり、図２は概略構成図（平面図）である。また、図３は本発明の実施の形態における徐電機能付換気装置の中和イオンのルーバーによる放出経路の変化を示す概略図である。
【００６５】
図１において、換気装置本体１は空気を吸込むための手段としてのファン２と、空気を吸込む吸込口３とこの吸込口３に設けられた換気装置本体１の外郭で屋内に露出するルーバーＡ４と、吸込口３から換気装置本体１内に吸込まれる吸込空気５を本体より風路６を通して本体外へ排出するダクト７と、換気装置の外郭に接する空気８に含有される帯電した塵埃を中和する中和イオン１１が換気装置本体１内に吸い込まれる吸込空気５に向けて放出されるように天井１６とルーバーＡ４の間に配置したイオン発生部９（例えば、コロナ放電式）と、吸込空気５に含有する塵埃の帯電量を測定するルーバーＡ４のセンター部分に設けられた帯電量測定部１０（例えば、静電気測定器）と、中和イオン１１を換気装置本体１内に吸込まれる吸込空気５に放出されるように経路Ａ１２に沿ってイオン吹出部１３から中和イオン１１を送風するイオン送風部１４（例えば、送風ファン）と、放出される中和イオン１１の経路Ａ１２を変更するルーバーＢ１５（例えば、ステッピングモータ）とから構成される。
【００６６】
ファン２によって、吸込口３に設けられたルーバーＡ４若しくは天井１６に引き寄せられた換気装置の外郭に接する空気８に含有される帯電した塵埃を含む空気の帯電量は、帯電量測定部１０によって測定され、その帯電量に応じてイオン発生部９から中和イオン１１を発生させ、換気装置の外郭に接する空気８の帯電量が多いとき（例えば、±１０ｋＶ以上）は、イオン発生部９に供給される電圧を増加させて、中和イオン１１の発生量を増加させて、換気装置の外郭に接する空気８の帯電量が少ないときは（例えば、±０．５ｋＶ以下）、イオン発生部９に供給される電圧を減少させて、中和イオン１１の発生量を低減して、イオン送風部１４から中和イオン１１をルーバーＢ１５によって任意の吹出方向を設定し、イオン吹出部１３から経路Ａ１２に沿って換気装置の外郭に接する空気８放出し、換気装置の外郭に接する空気８に含有される帯電した塵埃を除電する。
【００６７】
従って、本実施の形態により、換気装置の外郭に接する空気に含有される帯電した塵埃を除電することによって、換気装置の外郭若しくは側壁に付着する塵埃を抑制し、消費電力や騒音の低減とお掃除性を向上させた換気装置を提供することができる。
【００６８】
また、実施の形態１の除電機能付換気装置は、中和イオン１１の経路Ａ１２を変更する手段としてイオン吹出部１３にルーバーＢ１５を設けて、イオン送風部１４によって送風される中和イオン１１の経路Ａ１２を図３に示すように上下左右（例えば、上下左右±３０度）に変化させるように構成にしている。このように構成すれば、ファン２によって吸込まれる吸込空気量の増減に伴い、吸込口３に設けられたルーバーＡ４若しくは天井１６に引き寄せられた換気装置の外郭に接する空気８に含有される帯電した塵埃の増減に応じて、イオン発生部９から放出された中和イオン１１のイオン吹出部１３から吸込口３までの経路を変更させることができ、吸込口３に近い吸込空気５と、吸込口３から遠い吸込空気５とに含有される帯電した塵埃と中和イオン１１とを適切に反応させることができ、換気装置本体１の外郭や天井１６に塵埃が付着してしまうことを抑制することができる。
【００６９】
また、実施の形態１の除電機能付換気装置は、ルーバーＢ１５を常時変更させることにより、中和イオン１１の吹出方向を常時変更できるように構成している。このように構成することにより、換気装置の外郭に接する空気８の空気の流れが淀み帯電した塵埃が付着しやすい場所に対しても、中和イオン１１を効率よく放出することができ、換気装置の外郭に接する空気８に含有する帯電した塵埃が換気装置本体１の外郭若しくは天井１６に付着することを抑制することができる。
【００７０】
また、実施の形態１の除電機能付換気装置は、換気装置の外郭に接する空気８に含有される帯電した塵埃の帯電量に応じて、イオン送風部１４から送風される送風量を増加若しくは減少させるように構成している。このように構成することで、換気装置の外郭に接する空気８に含有される帯電した塵埃に効率よく中和イオン１１を供給し、塵埃の除電を効率よく行うことができる。
【００７１】
さらに、換気装置本体１の吸込空気５の吸込空気量に応じてイオン送風部１４より送風される送風量を増加若しくは減少させるように構成すれば、吸込空気量の変化に伴って、吸込口３に設けられたルーバーＡ４若しくは天井１６に引き寄せられる換気装置の外郭に接する空気８に含有される帯電した塵埃の増減に対して、イオン発生部９から中和イオン１１を応答性よく供給することができるため、帯電した塵埃の換気装置本体１への外郭若しくは側壁への付着を抑制することができる。
【００７２】
また、換気装置本体１の吸込空気５の吸込空気量に応じてイオン発生部９からイオン発生量を増加若しくは減少させるように構成すれば、吸込空気量の変化に伴って、吸込口３に設けられたルーバーＡ４若しくは天井１６に引き寄せられる換気装置の外郭に接する空気８に含有される帯電した塵埃の増減に対して、イオン発生部９から中和イオン１１を応答性よく供給することができるため、帯電した塵埃の換気装置本体１への外郭若しくは側壁への付着を抑制することができる。
【００７３】
なお、実施の形態１の除電機能付換気装置では、イオン発生部９を天井１６とルーバーＡ４との間に配置したが、換気装置の外郭に接する空気８に向けて中和イオン１１を効果的に放出できるように配置すればどこに設けてもよく、イオン発生部９から吸込口３までの経路Ａ１２を長くするように配置することで、イオン発生部９から放出された中和イオン１１が吸込口３に至るまでの経路Ａ１２が長くなると換気装置の外郭に接する空気８に含有する帯電した塵埃との反応時間が長くなり、換気装置の外郭に接する空気８に含有する帯電した塵埃を効率よく徐電して、換気装置本体１の外郭や天井１６に塵埃が付着してしまうことを抑制することができる。
【００７４】
また、実施の形態１の除電機能付換気装置は、帯電量測定部１０によって換気装置の外郭に接する空気８に含有される帯電した塵埃の帯電量を測定し、帯電量に応じてイオン発生部９から中和イオン１１を発生するように構成しているため、帯電量測定部１０の測定値が一定時間（例えば、１分間）、常に一定値以上の帯電量（例えば、＋３ｋＶもしくは−３ｋＶ）を測定したときは、イオン発生部９が異常状態であることを認識することができる。このようにイオン発生部９の正常若しくは異常を検知する検知手段を設けることにより、安全性を向上させることができる。
【００７５】
さらに、実施の形態１の除電機能付換気装置は、イオン発生部９の異常を認識すると、イオン発生部９に供給される電源ラインに設けられた接点（例えば、リレー）が開放されて、イオン発生部９を強制的に停止するように構成している。このように構成することにより、イオン発生部９に異常が生じた場合、安全にイオン発生部９を停止することができる。
【００７６】
また、実施の形態１の除電機能付換気装置は、換気装置本体１の使用時間を積算する積算手段として、積算メモリを備えている。換気装置本体１の使用時間があらかじめ積算メモリ内に設定された設定値（例えば、３時間）以上になると、イオン発生部９から中和イオン１１を放出させて、一定時間（例えば、１０分）経過した後若しくは換気装置本体１内の帯電量が一定値（例えば、０．５ｋＶ）を下回ったとき、イオン発生部９からの中和イオン１１の発生を停止させて、積算メモリをゼロクリアーして、再度換気装置本体１の使用時間を積算するように構成されている。このように構成することにより、換気装置の外郭に接する空気８に含有される帯電した塵埃に対して、常時イオン発生部９から中和イオン１１を放出して除電することにより換気装置本体１の外郭に付着する塵埃を抑制するのではなく、定期的にイオン発生部９より中和イオン１１を放出することによって、イオン発生部９で消費される電力量を抑制することができる。
【００７７】
（実施の形態２）
以下、本発明の実施の形態２について図４を参照しながら説明する。実施の形態１と同一部分は同一番号を附し、詳細な説明を省略する。
【００７８】
図４に示すように、イオン送風部１４を上下左右（例えば、±３０度）に変化させるように構成している。
【００７９】
上記構成により、換気装置の外郭に接する空気８に含有する帯電した塵埃の換気装置本体１の外郭若しくは天井１６への付着や、換気装置本体１の形状により換気装置の外郭に接する空気８の空気の流れが淀み帯電した塵埃が付着しやすい場所に対して中和イオン１１を効率よく放出することができる。
【００８０】
（実施の形態３）
以下、本発明の実施の形態３について図５を参照しながら説明する。実施の形態１と同一部分は同一番号を附し、詳細な説明を省略する。
【００８１】
図５に示すように、帯電量測定部１０をルーバーＡの周囲に複数設けるように構成する。
【００８２】
上記構成によれば、換気装置の外郭に接する空気８に含有される帯電した塵埃の帯電量を的確に測定できる換気装置を提供することができる。
【００８３】
（実施の形態４）
以下、本発明の実施の形態４ついて図６を参照しながら説明する。実施の形態１と同一部分は同一番号を附し、詳細な説明を省略する。
【００８４】
図６に示すように、帯電量測定部１０に駆動経路Ａガイド１８を設けて、駆動経路Ａガイド１８を回転させるステッピングモータＡ１９を駆動させて、駆動経路Ａ１７に沿って帯電量測定部１０が移動するように構成する。
【００８５】
上記構成によれば、帯電量測定部１０を駆動経路Ａ１７に沿って移動させることで、ルーバーＡ４の周囲の空気の帯電量を帯電量測定部１０を１つのみ用いて測定することができ、換気装置の外郭に接する空気８に含有される帯電した塵埃の帯電量を的確に測定できる換気装置を提供することができる。
【００８６】
なお、実施の形態４では、駆動部を設けてルーバーＡ４の周囲を駆動経路Ａ１７に沿って移動させるように構成したが、換気装置の外郭に接する空気８に含有される帯電した塵埃の帯電量を的確に測定できるように帯電量測定部１０を移動させるように構成すれば、どのように駆動部を設けてもよく、ルーバーＡ４のセンターに帯電量測定部１０を設けて、帯電量測定部１０をセンターの位置で回転移動させてもよい。このように構成すれば、換気装置の外郭に接する空気８に含有される帯電した塵埃の帯電量を的確に測定できる換気装置を提供することができる。
【００８７】
（実施の形態５）
以下、本発明の実施の形態５ついて図７を参照しながら説明する。実施の形態１と同一部分は同一番号を附し、詳細な説明を省略する。
【００８８】
図７に示すように、イオン発生部９に駆動経路Ｂガイド２１を設けて、駆動経路Ｂガイド２１を回転させるステッピングモータＢ２２を駆動させて、換気装置本体１の外郭に沿うように駆動経路Ｂ２０に沿ってイオン発生部９が移動するように構成する。
【００８９】
上記構成によれば、換気装置本体１の外郭に接する空気に対して、空気の流れが淀み帯電した塵埃が付着しやすい場所や、換気装置本体１の外郭に接する空気に含有する帯電した塵埃量の増減によって異なる換気装置本体１の外郭に接する空気の帯電量のバラツキに応じた中和イオン１１をイオン発生部９から適切に発生することができ、換気装置の外郭に接する空気８に含有される帯電した塵埃が換気装置本体１の外郭に付着することを抑制することができる。
【産業上の利用可能性】
【００９０】
本発明の換気装置外郭に接する空気に含有される帯電した塵埃に中和イオンを放出して除電する構成は、局所空間を風路とする空気の流入部に用いることで、局所空間内への塵埃の付着を抑制することができる。
【図面の簡単な説明】
【００９１】
【図１】本発明の実施の形態１の除電機能付換気装置を示す概略構成図（側面図）
【図２】本発明の実施の形態１の除電機能付換気装置を示す概略構成図（平面図）
【図３】本発明の実施の形態１の除電機能付換気装置の中和イオンの放出経路変化を示す概略図
【図４】本発明の実施の形態２の除電機能付換気装置を示す概略構成図
【図５】本発明の実施の形態３の除電機能付換気装置を示す概略構成図
【図６】本発明の実施の形態４の除電機能付換気装置を示す概略構成図
【図７】本発明の実施の形態５の除電機能付換気装置を示す概略構成図
【符号の説明】
【００９２】
１    換気装置本体
２    ファン
３    吸込口
４    ルーバーＡ
５    吸込空気
６    風路
７    ダクト
８    換気装置の外郭に接する空気
９    イオン発生部
１０  帯電量測定部
１１  中和イオン
１２  経路Ａ
１３  イオン吹出部
１４  イオン送風部
１５  ルーバーＢ
１６  天井
１７  駆動経路Ａ
１８  駆動経路Ａガイド
１９  ステッピングモータＡ
２０  駆動経路Ｂ
２１  駆動経路Ｂガイド
２２  ステッピングモータＢ
【図１】
2010236766.tif 000003
【図２】
2010236766.tif 000004
【図３】
2010236766.tif 000005
【図４】
2010236766.tif 000006
【図５】
2010236766.tif 000007
【図６】
2010236766.tif 000008
【図７】
2010236766.tif 000009